(57)【要約】【課題】搬送ジャムを発生させることなく、安定した信頼性を得ることができ、しかも、容易に高さ調整できるようにする。【解決手段】搬送路６の先端部が上下方向に揺動するようにプリンタユニット１Ａを揺動自在に支持する支軸２３と、プリンタユニット１Ａの揺動端側に設けられ、フロントパネル１ａ及びプリンタユニット１Ａの何れか一方のスライド移動によりフロントパネル１ａのブラケット２５のスリット部２５ａ内に挿入されてガイドされることにより、プリンタユニット１Ａを支軸２３を中心に揺動させて搬送路６の先端部をフロントパネル１ａの媒体出入口１ｂに対向するように位置決めする高さ調整ピン２４とを具備する。【選択図】図１
2011059362.tif 000002
【特許請求の範囲】
【請求項１】
フロントパネルに媒体出入口を有するとともに、前記フロントパネルの内面側に前記媒体出入口の近傍に位置して設けられるガイド体とを有する装置本体と、
この装置本体内に設けられ、搬送路に沿って搬送される媒体に情報を印字したのち、該媒体を前記搬送路の先端部から前記フロントパネルの媒体出入口に送り出すプリンタユニットと、
前記搬送路の先端部が上下方向に揺動するように前記プリンタユニットを揺動自在に支持する支持手段と、
前記プリンタユニットの揺動端側に設けられ、前記フロントパネル及び前記プリンタユニットの何れか一方のスライド移動により前記フロントパネルのガイド体によってガイドされることにより、前記プリンタユニットを前記支軸を中心に揺動させて前記搬送路の先端部を前記フロントパネルの媒体出入口に対向するように位置決めする高さ調整部材とを具備したことを特徴とする媒体処理装置。
【請求項２】
前記支持手段は、前記プリンタユニットの略重心の左右を回動自在に支持する一対の支軸を有することを特徴とする請求項１記載の媒体処理装置。
【請求項３】
前記プリンタユニットは、支持ベースを介してスライドテーブル上に載置され、前記支持ベースに前記支軸を介して支持されることを特徴とする請求項１または２記載の媒体処理装置。
【請求項４】
前記プリンタユニットは、その搬送路の先端部が前記フロントパネルの媒体出入口に対して位置決めされたのちは、固定具で前記支持ベースに固定されることを特徴する請求項１乃至３のいずれか一項記載の媒体処理装置。
【請求項５】
前記フロントパネルのガイド体は、略Ｖ字状をなすスリット部を有し、前記スリット部内に前記プリンタユニットの高さ調整部材を挿入させて位置決めすることを特徴とする請求項１乃至４のいぞれか一項記載の媒体処理装置。
【発明の詳細な説明】
【技術分野】
【０００１】
本発明は、例えば、銀行等に設置されるＡＴＭ装置に適用される媒体処理装置に関する。
【背景技術】
【０００２】
この種の媒体処理装置は、図２に示すように、その装置本体３１のフロントパネル３２に媒体出入口３３を有し、装置本体３１内にはスライドテーブル３４上に載置されるプリンタユニット３５を備えている。
【０００３】
フロントパネル３２の媒体出入口３３から通帳などの媒体が挿入されると、プリンタユニット３５の搬送路３６内に取り込まれて搬送され、印字部３７で情報が印字される。印字された通帳は逆送されて搬送路３６から送り出され、フロントパネル３２の媒体出入口３３から放出される。
【０００４】
ところで、フロントパネル３２の媒体出入口３３とプリンタユニット３５の搬送路３６の先端部の高さ寸法にはバラツキがある。このため、プリンタユニット３５の設置に際しては、フロントパネル３２の媒体出入口３３に対しプリンタユニット３５の搬送路３６の先端部が対向するように位置決めする必要がある。
【０００５】
そこで、従来においては，搬送路３６を前後に分割し、前部側の搬送路３６ａを支軸４０を介して回動自在に設け、支軸４０を中心にして矢印で示すように揺動可能としている。そして、前部側の搬送路３６ａの先端側両部にそれぞれ高さ調整用のピン体４１を突設している。また、フロントパネル３２の内面側には媒体出入口３３の近傍に位置して高さ調整用の一対のブラケット４３が配設されている。この一対のブラケット４３は媒体出入口３３の幅寸法だけ離間して対向する状態で配設され、このブラケット４３には高さ調整用のピン体４１をガイドするための略Ｖ字状のスリット部４３ａが形成されている。
【０００６】
フロントパネル３２の媒体出入口３３に対してプリンタユニット３５の搬送路３６の先端部を位置決めする場合には、スライドテーブル３４をフロントパネル３２の方向に向かってスライド移動させる。この移動により、プリンタユニット３５の前部側の搬送部３９ａの高さ調整用のピン体４１がブラケット４３のスリット部４３ａ内に挿入されてガイドされる。このガイドにより、前部側の搬送部３９ａが矢印で示すように支軸４０を中心として上方或いは下方に揺動されて搬送路３６の先端部がフロントパネル３２の媒体出入口３３に対向するように位置決めされることになる。
【発明の概要】
【発明が解決しようとする課題】
【０００７】
しかしながら、従来においては、前部側の搬送路３６ａを揺動させることにより、その先端部をフロントパネル３２の媒体出入口３３に対し位置決めしていたため、図３に示すように後部側の搬送部３９ｂの搬送ガイド４４との間に切れ目４５が生じ、搬送ジャムの要因になっていた。
【０００８】
また、ＡＴＭ装置毎にフロントパネル３２の媒体出入口３３とスライドテーブル３４との間に高さ寸法のバラツキがあるため、プリンタユニット３５の設置毎に前部側の搬送路３６ａと後部側の搬送路３６ｂのなす屈曲角度４６が異なり、プリンタユニット３５として安定した信頼性を得ることが困難になっている。
【０００９】
なお、プリンタユニット３５の全体を上下方向に移動してその搬送路３６の先端部をフロントパネル３２の媒体出入口３３に位置決めすることも考えられている。
【００１０】
しかしながら、この場合には、重量物であるプリンタユニット３５を上下方向に平行を維持して高さ調整しなければならず、作業負荷が大きくなるという不都合があった。
【００１１】
本発明は上記事情に着目してなされたもので、その目的とするところは、搬送ジャムを発生させることなく、安定した信頼性を得ることができ、しかも、容易に高さを調整できるようにした媒体処理装置を提供することにある。
【課題を解決するための手段】
【００１２】
上記の課題を解決するために、請求項１記載の発明は、フロントパネルに媒体出入口を有するとともに、前記フロントパネルの内面側に前記媒体出入口の近傍に位置して設けられるガイド体とを有する装置本体と、この装置本体内に設けられ、搬送路に沿って搬送される媒体に情報を印字したのち、該媒体を前記搬送路の先端部から前記フロントパネルの媒体出入口に送り出すプリンタユニットと、前記搬送路の先端部が上下方向に揺動するように前記プリンタユニットを揺動自在に支持する支持手段と、前記プリンタユニットの揺動端側に設けられ、前記フロントパネル及び前記プリンタユニットの何れか一方のスライド移動により前記フロントパネルのガイド体によってガイドされることにより、前記プリンタユニットを前記支軸を中心に揺動させて前記搬送路の先端部を前記フロントパネルの媒体出入口に対向するように位置決めする高さ調整部材とを具備したことを特徴とする。
【発明の効果】
【００１３】
本発明によれば、搬送ジャムを発生させることなく、安定した信頼性を得ることができ、しかも、容易に高さを調整できる。
【図面の簡単な説明】
【００１４】
【図１】本発明の一実施の形態である媒体処理装置の内部構成を示す側面図。
【図２】従来の媒体処理装置の内部構成を示す側面図。
【図３】図２中のＡ部を拡大して示す図。
【発明を実施するための形態】
【００１５】
以下、本発明の実施の形態を図面を参照して詳細に説明する。  
図１は、本発明の一実施の形態である媒体処理装置としてのＡＴＭ装置を示すものである。
【００１６】
ＡＴＭ装置は通帳や明細書等の媒体取引を行なうもので、その装置本体１のフロントパネル１ａには媒体を出入させる媒体出入口１ｂが設けられている。装置本体１の内部には、プリンタユニット１Ａが設けられている。プリンタユニット１Ａの先端部には通帳の出入口とステイトメント用紙の出口を兼用するフェイシア部２が設けられている。このフェイシア部２は、後述する搬送路６ａの先端部を構成している。
【００１７】
プリンタユニット１Ａ内の後部側には用紙装填部３が設けられ、この用紙装填部３にはロール状のサーマル用紙４が装填されている。サーマル用紙４の先端部は用紙装填部３から引き出されてサーマル用搬送手段５によって搬送路６ａに沿って搬送される。搬送路６ａ中にはサーマル用紙４の搬送方向に沿って順次、サーマル印字部７、切断部（図示しない）が配設されている。
【００１８】
また、プリンタユニット１Ａ内には、通帳を搬送路６ｂに沿って搬送する通帳用搬送手段１０が設けられている。搬送路６ｂは上記したサーマル用紙４の搬送路６ａに接続され、通帳用搬送手段１０は搬送路６ａから送り出されてくるサーマル用紙４を搬送路６ｂに沿って搬送する搬送手段としても兼用されるようになっている。
【００１９】
通帳用搬送手段１０は搬送路６ｂに所定間隔を存して配設される複数個の搬送ローラ対１１ａ〜１１ｅ、出入用ローラ対１２、フィードローラ対１５によって構成されている。通帳の搬送路６ｂにはシリアルヘッドとしてのドットヘッド９ａを有するドット印字部９が配置され、搬送路６ｂはフェイシア部２に連通されている。
【００２０】
上記した構成において、通帳に印字する場合には、通帳をフロントパネル１ａの媒体出入口１ｂから挿入させてプリンタユニット１Ａのフェイシア部２内に挿入させる。この挿入により出入用ローラ対１２、搬送ローラ対１１ａ〜１１ｅ、及びフィードローラ対１５が正方向に回転駆動される。この回転により、通帳が搬送されてドット印字位置に到達すると、ドットヘッド９ａが動作されて印字が行なわれる。印字が終了すると、出入用ローラ対１２、フィードローラ対１５、及び搬送ローラ対１１ａ〜１１ｅが逆方向に回転される。この逆回転により、通帳が逆送りされてフェイシア部２を介してフロントパネル１ａの媒体出入口１ｂから放出される。
【００２１】
ステイトメント用紙に印字する場合には、サーマル用紙４をプラテンローラの回転により搬送してサーマルヘッドの発熱により情報を印字する。この印字後、サーマル用紙４は切断部を通過してサーマル側フィードローラ対１４によって挟持搬送され、所定量搬送されるとサーマル用紙４が所定寸法に切断されてステイトメント用紙が形成される。このステイトメント用紙は、フィードローラ対１５、搬送ローラ対１１ａ〜１１ｅ、及び出入用ローラ対１２の逆回転によって搬送路６ｂに沿って搬送されてフェイシア部２を介してフロントパネル１ａの媒体出入口１ｂから放出される。
【００２２】
ところで、上記したフロントパネル１ａの媒体出入口１ｂとプリンタユニット１Ａの搬送路６ｂの先端部の高さ寸法にはバラツキがあり、プリンタユニット１Ａを設置する際には、プリンタユニット１Ａの搬送路６ｂの先端部の高さを調整してフロントパネル１ａの媒体出入口１ｂに対向するように位置決めする必要がある。
【００２３】
次に、フロントパネル１ａの媒体出入口１ｂに対してプリンタユニット１Ａの搬送路６ｂの先端部を位置決めする位置決め機構について説明する。
【００２４】
上記したプリンタユニット１Ａは支持ベース２１を介してスライドテーブル２２上に載置され、プリンタユニット１Ａの両側面の下部側、即ち略重心の左右方向には支軸２３が配設されている。プリンタユニット１Ａは支軸２３を介して支持ベース２１に回動自在に支持され、支軸２３を中心にして矢印で示すように全体的に上下方向に揺動可能になっている。また、プリンタユニット１Ａの先端側の両側面部には調整ピン２４がそれぞれ突設されている。
【００２５】
一方、フロントパネル１ａの内面側には媒体出入口１ｂの近傍に位置してガイド体としての一対のブラケット２５が媒体出入口１ｂの幅寸法だけ離間して対向配置されている。ブラケット２５には略Ｖ字状をなすようにスリット部２５ａが形成され、このスリット部２５ａ内にプリンタユニット１Ａの先端両側面部の調整ピン２４が挿入されるようになっている。
【００２６】
次に、フロントパネル１ａの媒体出入口１ｂに対してプリンタユニット１Ａの搬送路６ｂの先端部を位置決めする場合について説明する。
【００２７】
この場合には、スライドテーブル２２を矢印で示すようにフロントパネル１ａ側に向かってスライド移動させる。これにより、プリンタユニット１Ａの先端部の調整ピン２４がフロントパネル１ａ側の調整ブラケット２５のスリット部２５ａ内に挿入されてガイドされる。このガイドにより、プリンタユニット１Ａが支軸２３を中心にして先端部側を上方或いは下方に揺動させて搬送路６ｂの先端部であるフェイシア部２をフロントパネル１ａの媒体出入口１ｂに対向するように位置決めする。このように、位置決めしたのちは、固定ネジ２７ａ、２７ｂでプリンタユニット１Ａを支持ベース２１に固定して取り付けを終える。
【００２８】
上記したように、この実施の形態によれば、プリンタユニット１Ａを全体的に揺動させることによりフェイシア部２を上下動させてその位置を調整してフロントパネル１ａの媒体出入口１ｂに対向するように位置決めするため、従来のように搬送路を分断する必要がなく、搬送ジャムの発生を防止することができる。
【００２９】
また、プリンタユニット１ＡをＡＴＭ装置に設置する毎に、プリンタユニット１Ａの搬送路を屈曲することがないため、安定した信頼性を得ることができる。
【００３０】
さらに、プリンタユニット１Ａの揺動支点をプリンタユニット１Ａの前後方向の略重心位置の左右に配設するため、プリンタユニット１Ａの重量に関係なく、小さな力で容易に揺動（高さ調整）させることができる。
【００３１】
なお、上記一実施の形態では、スライドテーブル２２を移動させてプリンタユニット１Ａのフェイシア部２をフロントパネル１ａの媒体出入口１ｂに対向するように位置決めしたが、これに限られることなく、スライドテーブル２２を固定してフロントパネル１ａ側を移動させてフェイシア部２を位置決めするようにしてもよい。
【００３２】
また、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【符号の説明】
【００３３】
１…装置本体、１Ａ…プリンタユニット、１ａ…フロントパネル、１ｂ…媒体出入口
、６…搬送路、２１…支持ベース、２２…スライドテーブル、２３…支軸（支持手段）、
２４…高さ調整ピン（高さ調整部材）、２５…ブラケット（ガイド体）、２５ａ…スリット、２７…固定ネジ（固定具）。
【図１】
2011059362.tif 000003
【図２】
2011059362.tif 000004
【図３】
2011059362.tif 000005